(57)【特許請求の範囲】
【請求項１】
被検体の部位を示す医用画像を撮影する撮影部と、
撮影した前記医用画像を保管する保管部と、
前記被検体を検査する検査中の作業情報をその作業情報を入力した時刻と関連付けて履歴情報として記録する手段であって、前記作業情報の入力が無い場合に、以前に入力された作業情報を引き継ぎ、前記作業情報の入力が有る場合に、以前に入力された作業情報を更新する手段と、
撮影した前記医用画像に対応する前記作業情報の入力開始の時刻から前記医用画像を撮影した時刻までの前記作業情報のうち最新の作業情報を前記履歴情報から取得する手段と、
撮影した前記医用画像に付帯する画像付帯情報として、取得した前記最新の作業情報を前記保管部に記録する手段と、
を備えることを特徴とする医用画像撮影装置。
【請求項２】
前記取得する手段は、検査が終了する度に、撮影した前記医用画像に対応する前記最新の作業情報を前記履歴情報から取得し、
前記記録する手段は、検査が終了する度に、取得した前記最新の作業情報を前記画像付帯情報として前記保管部に記録することを特徴とする請求項１記載の医用画像撮影装置。
【請求項３】
前記取得する手段は、前記撮影部が前記医用画像を撮影する度に、撮影した前記医用画像に対応する前記最新の作業情報を前記履歴情報から取得し、
前記記録する手段は、前記撮影部が前記医用画像を撮影する度に、取得した前記最新の作業情報を前記画像付帯情報として前記保管部に記録することを特徴とする請求項１記載の医用画像撮影装置。
【請求項４】
前記作業情報は、検査で使用した造影剤に関する情報を含んでいることを特徴とする請求項１乃至３のいずれか一に記載の医用画像撮影装置。
【請求項５】
前記作業情報は、検査で使用したデバイスに関する情報を含んでいることを特徴とする請求項１乃至４のいずれか一に記載の医用画像撮影装置。
【請求項６】
前記作業情報は、撮影した前記医用画像を特定するためのコメント情報を含んでいることを特徴とする請求項１乃至５のいずれか一に記載の医用画像撮影装置。
【請求項７】
被検体の部位を示す医用画像を撮影する撮影部と、撮影した前記医用画像を保管する保管部とを具備する医用画像撮影装置と、
前記被検体を検査する検査中の作業情報をその作業情報を入力した時刻と関連付けて履歴情報として記録する装置であって、前記作業情報の入力が無い場合に、以前に入力された作業情報を引き継ぎ、前記作業情報の入力が有る場合に、以前に入力された作業情報を更新する履歴情報管理装置と、
を備え、
前記医用画像撮影装置は、
撮影した前記医用画像に対応する前記作業情報の入力開始の時刻から前記医用画像を撮影した時刻までの前記作業情報のうち最新の作業情報を前記履歴情報から取得する手段と、
撮影した前記医用画像に付帯する画像付帯情報として、取得した前記最新の作業情報を前記保管部に記録する手段と、
を具備していることを特徴とする医用画像撮影システム。
【請求項８】
前記取得する手段は、検査が終了する度に、撮影した前記医用画像に対応する前記最新の作業情報を前記履歴情報から取得し、
前記記録する手段は、検査が終了する度に、取得した前記最新の作業情報を前記画像付帯情報として前記保管部に記録することを特徴とする請求項７記載の医用画像撮影システム。
【請求項９】
前記取得する手段は、前記撮影部が前記医用画像を撮影する度に、撮影した前記医用画像に対応する前記最新の作業情報を前記履歴情報から取得し、
前記記録する手段は、前記撮影部が前記医用画像を撮影する度に、取得した前記最新の作業情報を前記画像付帯情報として前記保管部に記録することを特徴とする請求項７記載の医用画像撮影システム。
【請求項１０】
前記作業情報は、検査で使用した造影剤に関する情報を含んでいることを特徴とする請求項７乃至９のいずれか一に記載の医用画像撮影システム。
【請求項１１】
前記作業情報は、検査で使用したデバイスに関する情報を含んでいることを特徴とする請求項７乃至１０のいずれか一に記載の医用画像撮影システム。
【請求項１２】
前記作業情報は、撮影した前記医用画像を特定するためのコメント情報を含んでいることを特徴とする請求項７乃至１１のいずれか一に記載の医用画像撮影システム。
【発明の詳細な説明】
【技術分野】
【０００１】
本発明は、医用画像を撮影する医用画像撮影装置及び医用画像撮影システムに関する。
【背景技術】
【０００２】
医用画像撮影装置は、被検体の部位を示す医用画像を撮影する撮影部及びその撮影部を保持するＣアーム等の保持部を備えており、寝台上の被検体に対する撮影位置に撮影部を位置付け、その撮影部により被検体の各部位の医用画像を撮影する。この医用画像撮影装置としては、例えば、循環器用のＸ線撮影装置等が挙げられる。
【０００３】
このような医用画像撮影装置により検査中に収集された医用画像の画像データには、画像付帯情報として画像データに関連する情報を記録することが可能である（例えば、特許文献１参照）。画像付帯情報には、患者情報や検査情報等が含まれる。この画像付帯情報は、画像再生時に画像データと同時に読み出され、その画像データと共に表示され、診断をサポートする重要な情報の一部となっている。通常、画像付帯情報は、ＤＩＣＯＭ（Digital Imaging and COmmunications in Medicine）と呼ばれる共通規格に則ったデータフォーマットで定義されている。この規格に準拠すれば、異なるメーカの装置で生成された画像データあっても同じように画像付帯情報を読み出すことができる。
【０００４】
また、医用画像撮像装置を用いた検査中には、検査の作業内容や患者容態、さらに、使用した材料や薬剤等の情報が逐次記録される。この情報はプロシージャログ情報と呼ばれている。プロシージャログ情報は検査中の状況を把握するためだけでなく、診断レポート作成システムや院内の会計システム等の他システムとリンクして、レポート作成や課金等の目的で利用されている。このプロシージャログ情報を入力、保管及び出力するシステムは、通常、ログ情報管理システム（ログ情報管理装置）と呼ばれる。ログ情報管理システムは、他のシステムの一部、例えばレポート作成システムの一部としてその機能が組み込まれている場合もある。
【０００５】
ここで、画像付帯情報の中には、画像収集する上で使用した造影剤に関する情報や各種デバイス情報、さらには当該画像を特定するためのテキスト情報等が含まれていることがある。それらの情報はＤＩＣＯＭ規格のデータフォーマットとして定義されている。このような情報は、術者や助手等の操作者により画像の収集直前又は収集後に医用画像撮影装置に登録される。
【特許文献１】特開２００５−５６０６５号公報
【発明の開示】
【発明が解決しようとする課題】
【０００６】
しかしながら、造影剤の情報や各種デバイス情報を画像の収集直前に、医用画像撮影装置に登録する場合には、十分な時間的余裕が無いことが多く、それらの情報を画像の収集直前に登録することは現実的には難しい。また、それらの情報を画像の収集後に追加登録する場合でも、検査中には多くの画像を収集しているため、当該画像に対する登録すべき情報が不明確となることが多く、その結果、これらの情報が登録されないことになってしまう。さらに、画像を特定するためのテキスト情報も、画像の収集直前に登録し忘れることがあり、それを後から追加登録する場合でも、手間がかかったり、誤って追加登録してしまったりする。このように、画像の収集直前に情報入力したり、画像の収集後に編集作業をしたりする必要があるため、操作者の利便性及び検査の作業効率が低下してしまう。
【０００７】
本発明は、上記に鑑みてなされたものであり、その目的は、操作者の利便性及び検査の作業効率を向上させることができる医用画像撮影装置及び医用画像撮影システムを提供することである。
【課題を解決するための手段】
【０００８】
本発明の実施の形態に係る第１の特徴は、医用画像撮影装置において、被検体の部位を示す医用画像を撮影する撮影部と、撮影した医用画像を保管する保管部と、被検体を検査する検査中の作業情報をその作業情報を入力した時刻と関連付けて履歴情報として記録する手段であって、作業情報の入力が無い場合に、以前に入力された作業情報を引き継ぎ、作業情報の入力が有る場合に、以前に入力された作業情報を更新する手段と、撮影した医用画像に対応する作業情報の入力開始の時刻から医用画像を撮影した時刻までの作業情報のうち最新の作業情報を履歴情報から取得する手段と、撮影した医用画像に付帯する画像付帯情報として、取得した最新の作業情報を保管部に記録する手段とを備えることである。
【０００９】
本発明の実施の形態に係る第２の特徴は、医用画像撮影システムにおいて、被検体の部位を示す医用画像を撮影する撮影部と、撮影した医用画像を保管する保管部とを具備する医用画像撮影装置と、被検体を検査する検査中の作業情報をその作業情報を入力した時刻と関連付けて履歴情報として記録する装置であって、作業情報の入力が無い場合に、以前に入力された作業情報を引き継ぎ、作業情報の入力が有る場合に、以前に入力された作業情報を更新する履歴情報管理装置とを備え、医用画像撮影装置は、撮影した医用画像に対応する作業情報の入力開始の時刻から医用画像を撮影した時刻までの作業情報のうち最新の作業情報を履歴情報から取得する手段と、撮影した医用画像に付帯する画像付帯情報として、取得した最新の作業情報を保管部に記録する手段とを具備していることである。
【発明の効果】
【００１０】
本発明によれば、操作者の利便性及び検査の作業効率を向上させることができる医用画像撮影装置及び医用画像撮影システムを提供することができる。
【発明を実施するための最良の形態】
【００１１】
（第１の実施の形態）
本発明の第１の実施の形態について図１乃至図３を参照して説明する。
【００１２】
図１に示すように、本発明の実施の一形態に係る医用画像撮影システム１は、医用画像撮影装置１ａと、その医用画像撮影装置１ａにＬＡＮ（Local Area Network）等のネットワークＮを介して接続されたログ情報管理装置１ｂとにより構成されている。
【００１３】
医用画像撮影装置１ａは、患者等の被検体Ｔが載置される寝台２と、その寝台２上の被検体Ｔに対する撮影位置から被検体Ｔの医用画像を撮影する撮影部３と、その撮影部３を移動可能に支持し、その撮影位置まで移動させる移動機構４と、それらの各部を制御する制御装置５とを備えている。このような医用画像撮影装置１ａとしては、例えば、循環器用のＸ線撮影装置等が挙げられ、特に、被検体Ｔの血管等の医用画像を撮影するＸ線透視撮影装置が挙げられる。
【００１４】
寝台２は、水平方向及び鉛直方向に移動可能に形成され被検体Ｔを載せる天板２ａと、その天板２ａを支持して水平方向及び鉛直方向に移動させる天板駆動部２ｂとにより構成されている。天板駆動部２ｂは、天板２ａを移動させるための移動機構及び移動のための駆動力を供給する駆動源等により構成されている。この天板駆動部２ｂは制御装置５に電気的に接続されている。このような寝台２は、天板駆動部２ｂにより天板２ａを移動させ、天板２ａ上の被検体Ｔを所定の位置に位置付ける。
【００１５】
撮影部３は、寝台２の天板２ａ上の被検体Ｔに対してＸ線を照射するＸ線照射部３ａと、そのＸ線照射部３ａにより照射されたＸ線を検出するＸ線検出部３ｂとを備えている。この撮影部３は、寝台２の天板２ａの周囲を移動可能に設けられており、撮影位置から天板２ａ上の被検体Ｔの各部位の医用画像を撮影する。
【００１６】
Ｘ線照射部３ａは、Ｘ線を出射するＸ線管及びそのＸ線管から出射されたＸ線を絞るＸ線絞り器等を備えている。このＸ線絞り器としては、例えばコリメータ等を用いる。また、Ｘ線照射部３ａは、高電圧発生部（図示せず）を介して制御装置５に電気的に接続されている。ここで、高電圧発生部は、Ｘ線照射部３ａに供給する高電圧を発生させる装置であり、制御装置５から与えられた電圧を昇圧及び整流し、その電圧をＸ線照射部３ａに供給する。なお、制御装置５は、Ｘ線照射部３ａに所望のＸ線を発生させるため、高電圧発生部に与える電圧の波形、すなわち振幅やパルス幅等の各種条件を制御する。このようなＸ線照射部３ａは、Ｘ線管によりＸ線を出射し、そのＸ線をＸ線絞り器によって絞り、寝台２の天板２ａ上の被検体Ｔに照射する。
【００１７】
Ｘ線検出部３ｂは、Ｘ線照射部３ａに対向させて設けられており、対向するＸ線照射部３ａに対して接離方向に移動可能に形成されている。このＸ線検出部３ｂは制御装置５に電気的に接続されている。このようなＸ線検出部３ｂとしては、例えば、イメージインテンシファイアやＸ線平面検出器（ＦＰＤ）等を用いる。
【００１８】
移動機構４は、Ｘ線照射部３ａ及びＸ線検出部３ｂを対向させて保持する保持アーム４ａと、その保持アーム４ａをスライド移動可能に支持するアーム支持部４ｂと、そのアーム支持部４ｂを回動可能に支持する支柱４ｃとを備えている。この移動機構４は制御装置５に電気的に接続されている。このような移動機構４は、天板２ａ上の被検体Ｔの周囲を移動可能に撮影部３を支持し、その撮影部３を撮影位置まで移動させる。
【００１９】
保持アーム４ａは、例えばＣ字形状のＣアームであり、アーム支持部４ｂにスライド移動可能に設けられている。この保持アーム４ａは、そのアームが伸びる方向にスライド移動可能に形成されている。このような保持アーム４ａの長手方向の両端部には、Ｘ線照射部３ａ及びＸ線検出部３ｂがそれぞれ対向させて設けられている。アーム支持部４ｂは、保持アーム４ａをスライド移動可能に支持する部材であり、支柱４ｃに回動可能に設けられている。また、支柱４ｃは、アーム支持部４ｂを回動可能に支持する部材であり、床面に回動可能に設けられている。
【００２０】
制御装置５は、各部を制御するマイクロプロセッサ等の制御部５ａと、各種のプログラムや各種のデータを記憶する記憶部５ｂと、撮像した医用画像を保管する保管部５ｃと、術者や助手等の操作者からの入力操作を受け付ける入力部５ｄと、医用画像等の画像を表示する表示部５ｅと、外部装置と通信網であるネットワークＮを介して通信を行う通信部５ｆとを備えている。これらの各部５ａ〜５ｆはバス５ｇにより電気的に接続されている。
【００２１】
制御部５ａは、記憶部５ｂに記憶された各種のプログラムやデータ等に基づいて各部を制御し、特に、それらのプログラムやデータ等に基づき、入力部５ｄに対する操作者の入力操作に応じて各部を制御する。また、制御部５ａは、各種のプログラムに基づいて、各種データの計算又は加工等を行う一連のデータ処理、医用画像等の画像を表示する画像表示処理及び作業情報付与処理（後述する）等を実行する。
【００２２】
記憶部５ｂは、制御部５ａが実行する各種のプログラム及び各種のデータを記憶する記憶装置であって、さらに、制御部５ａのワークエリアとしても機能する記憶装置（メモリ）である。特に、記憶部５ｂは、撮影した医用画像を一時的に記憶する記憶装置である。この記憶部５ｂとしては、例えば、ＲＯＭやＲＡＭ、磁気ディスク装置、半導体ディスク装置（フラッシュメモリ）等を用いる。
【００２３】
保管部５ｃは、撮像した医用画像を順次保管する保管装置である。この保管部５ｃは、撮像した医用画像に付帯する画像付帯情報も、医用画像と共に保存する。この画像付帯情報には、患者情報や検査情報等が含まれている。なお、保管部５ｃとしては、例えば、磁気ディスク装置や半導体ディスク装置（フラッシュメモリ）等を用いる。保管部５ｃは、ネットワークＮを介して通信部５ｆに接続されていてもよい。
【００２４】
入力部５ｄは、操作者（利用者）により入力操作される操作部である。この入力部５ｄとしては、例えば、ジョイスティックやキーボード、マウス等の入力デバイスを用いる。術者や助手等の操作者は、入力部５ｄを入力操作し、撮影部３を所望の撮影位置に移動させる。また、操作者は、入力部５ｄを入力操作し、各種の設定値や必要な情報を入力する。
【００２５】
表示部５ｅは、被検体Ｔの医用画像等の各種の画像を表示する表示装置である。この表示部５ｅとしては、例えば、液晶ディスプレイやＣＲＴ（Cathode Ray Tube）ディスプレイ等を用いる。
【００２６】
通信部５ｆは、ＬＡＮ等のネットワークＮを介して外部装置との通信を行う通信インターフェースである。この外部装置としては、ログ情報管理装置１ｂ、画像サーバ装置、読影レポートサーバ装置及びビューア装置等が挙げられる。
【００２７】
ログ情報管理装置１ｂは、履歴情報としてのプロシージャログ情報であるログファイルＦ１に、被検体Ｔに対する検査中に、検査の作業内容や患者容態、さらに、使用した材料や薬剤等の情報を逐次記録する管理システムである。このログ情報管理装置１ｂは、履歴情報管理装置として機能する。
【００２８】
ログファイルＦ１では、図２に示すように、入力データがデータ発生時刻順に並んでいる。この入力データのデータ要素としては、時刻（秒単位）、画像番号及び作業情報（検査部位、造影剤種類、造影剤量、デバイス種類及びデバイスサイズ）等の要素が入力されている。換言すれば、ログファイルＦ１は、複数の医用画像（画像番号）毎に検査中の作業情報を有する履歴情報となる。作業情報は、例えば、検査部位、造影剤種類、造影剤量、デバイス種類及びデバイスサイズ等の情報を含んでいる。
【００２９】
詳述すると、ログファイルＦ１の画像番号の欄には、画像を収集した時の画像番号が記録される。ログファイルＦ１の検査部位の欄には、対象となる部位を示すテキストデータが記録される。検査部位の情報は、画像を特定する情報の一つとなり、例えば、画像を特定するためのコメント情報等も含んでいる。ログファイルＦ１の造影剤種類及び造影剤量の欄には、検査中の使用タイミングで、用いた造影剤種類及び造影剤量が記録される。同様に、ログファイルＦ１のデバイス種類及びデバイスサイズの欄にも、検査中の使用タイミングで、用いたデバイス種類及びデバイスサイズが記録される。なお、それらの造影剤種類、造影剤量、デバイス種類及びデバイスサイズ等の情報は、バーコード入力可能な入力部５ｄを用いて入力されて記録される。ここで、造影剤種類や造影剤量は、検査で使用した造影剤に関する情報であり、デバイス種類やデバイスサイズは、検査で使用したデバイスに関する情報である。
【００３０】
図２の例では、検査開始時の最初の入力データ、すなわちＮｏ．１の時刻の入力データでは、全てのデータ要素に該当情報は無い。次のＮｏ．２の時刻の入力データでは、検査部位が「ＬＣＡ」として更新されている。さらに、次のＮｏ．３の時刻の入力データでは、検査部位は「ＬＣＡ」で継続のままで、造影剤種類が「造影剤Ａ」、造影剤量が「２０ｍｌ」として更新されている。同様にして、各時刻で各データ要素の値が更新されたり、継続したりしている状態が、検査終了までの時刻まで記録される。
【００３１】
このようなログファイルＦ１は、例えば検査が終了すると、ログ情報管理装置１ｂからネットワークＮを経由して制御装置５に入力データとして読み込まれる。この入力データから、対応する画像の画像付帯情報に付与すべき作業情報が得られる。図２の例では、Ｎｏ．４の時刻の入力データ（画像番号が１である画像）では、検査部位が「ＬＣＡ」であり、造影剤種類が「造影剤Ａ」であり、造影剤量が「２０ｍｌ」である作業情報が得られる。また、Ｎｏ．８の時刻の入力データ（画像番号が２である画像）では、検査部位が「ＬＣＡ」であり、造影剤種類が「造影剤Ａ」であり、造影剤量が「１５ｍｌ」であり、デバイス種類が「ステントＡ」であり、デバイスサイズが「径２．０ｍｍ」である作業情報が得られる。
【００３２】
ここで、医用画像（Ｘ線画像）の収集手順は次のとおりである。まず、入力部５ｄに対して入力操作を行う操作者からの指示により、所望の撮像位置へ保持アーム４ａが位置決めされ、Ｘ線条件や収集条件が決定される。次に、操作者による収集開始の指示によって、Ｘ線画像の収集が開始される。このとき、作業情報も入力されてログ情報管理装置ａ１に記録される。収集枚数は１フレームの場合（ワンショット撮影）と、複数フレーム（シネ撮影あるいは動画撮影）の場合がある。さらに、透視を行っている場合でも、透視中の画像を収集することもできる。収集された画像は、収集に関連する情報である画像付帯情報とともに、画像メモリとして機能する記憶部５ｂに一時的に格納され、これが表示部５ｅに表示される。また、収集された複数のＸ線画像は、画像付帯情報とともに、画像記憶用メモリとして機能する保管部５ｃに保管される。その後、入力部５ｄに対する入力操作による操作者からの指示によって、任意のＸ線画像が保管部５ｃから記憶部５ｂに読み出され、表示部５ｅに表示され、診断のために観察される。このような画像収集手順において、検査が終了したタイミング等で、ログ情報管理装置１ｂからネットワークＮを経由して、ログファイルＦ１が入力データとして読み込まれる。このログファイルＦ１に基づいて、対応する画像の画像付帯情報に作業情報が付与される。
【００３３】
次に、前述の医用画像撮影装置１ａが行う画像付帯情報に作業情報を付与する動作について説明する。医用画像撮影装置１ａの制御部５ａが、記憶部５ｂに格納されたプログラムに基づいて画像付帯情報に作業情報を付与する作業情報付与処理を実行する。この処理は、検査が終了した場合に（検査終了のタイミングで）実行され、検査が終了する度に実行される。
【００３４】
図３に示すように、制御部５ａは、記憶部５ｂのカレントの読込み数及び画像番号を０にセットし（ステップＳ１）、カレントの保持データ（カレントに保持しておく各データ要素の値）を初期化する（ステップＳ２）。
【００３５】
次いで、制御部５ａは、ログファイルＦ１に入力されたデータを時刻毎に１つずつ読み込む（ステップＳ３）。このとき、制御部５ａは、カレントの読込み数に１を加える。制御部５ａは、その入力データのうち、更新されているデータ要素があるか否かを判断し（ステップＳ４）、更新されているデータ要素があると判断した場合には（ステップＳ４のＹＥＳ）、カレントで保存したデータ要素の更新を行い（ステップＳ５）、更新されているデータ要素がないと判断した場合には（ステップＳ４のＮＯ）、処理をステップＳ６に進める。
【００３６】
次に、画像の収集があるか否か、すなわちデータ要素「画像番号」が更新されているか否かを判断する（ステップＳ６）。画像の収集があると判断した場合には（ステップＳ６のＹＥＳ）、カレントの画像番号に１を加え（ステップＳ７）、その後、画像番号が一致する画像データに付帯する画像付帯情報に、カレントで保持したデータ要素の全てをセットする（ステップＳ８）。一方、画像の収集がないと判断した場合には（ステップＳ６のＮＯ）、処理をステップＳ９に進める。
【００３７】
最後に、カレントの読込み数が入力データ総数と等しいか否かを判断し（ステップＳ９）、カレントの読込み数が入力データ総数と等しいと判断した場合には（ステップＳ９のＹＥＳ）、処理を終了する。一方、カレントの読込み数が入力データ総数と等しくないと判断した場合には（ステップＳ９のＮＯ）、未処理のデータが残っているので、ステップＳ３に処理を戻し、再びデータ読込み処理を行う。
【００３８】
このデータ読み込み処理が継続され、医用画像の画像付帯情報に、当該画像が収集された時点での各データ要素の値がセットされていく。図２の例では、画像番号１の画像付帯情報として、検査部位に「ＬＣＡ」、造影剤種類に「造影剤Ａ」、造影剤量に「２０ｍｌ」が自動的にセットされ、画像番号２の付帯情報として、検査部位に「ＬＣＡ」、造影剤種類に「造影剤Ａ」、造影剤量に「１５ｍｌ」、ステント種類に「ステントＡ」、ステントサイズに「径２．０ｍｍ」が自動的にセットされることになる。このようにして作業情報が対応する画像付帯情報に付与されるので、操作者は画像の収集直前に情報入力したり、画像の収集後に編集作業をしたりする必要が無くなり、操作者の手間を省くことが可能になる。
【００３９】
以上説明したように、本発明の第１の実施の形態によれば、撮影した医用画像に対応する検査中の作業情報を記録した履歴情報であるログファイルＦ１から、撮影した医用画像に対応する作業情報を取得し、撮影した医用画像に付帯する画像付帯情報として、その取得した作業情報を保管部５ｃに記録することによって、操作者は画像の収集直前に情報入力したり、画像の収集後に編集作業をしたりする必要が無くなり、操作者の手間を省くことが可能になるので、操作者の利便性及び検査の作業効率を向上させることができる。
【００４０】
さらに、検査が終了する度に、撮影した医用画像に対応する作業情報をログファイルＦ１から取得し、取得した作業情報を画像付帯情報として保管部５ｃに記録することから、検査が終了する度に作業情報が画像付帯情報に付与される。このように、検査が終了する度に（検査終了のタイミングで）画像付帯情報に作業情報を付与することは、検査終了後にＰＡＣＳ（Picture Archiving and Communication Systems）等の画像サーバに画像データを転送する場合に有効である。また、これは、検査中に作業情報付与処理を行う場合に比べ、検査中の制御部５ａの処理負荷を低減させることができる。
【００４１】
（第２の実施の形態）
本発明の第２の実施の形態について図４を参照して説明する。
【００４２】
本発明の第２の実施の形態は第１の実施の形態の変形である。したがって、特に、第１の実施の形態と異なる部分、すなわち作業情報付与処理について説明する。なお、第２の実施の形態においては、第１の実施の形態で説明した部分と同じ部分の説明を省略する。
【００４３】
本発明の第２の実施の形態に係る作業情報付帯処理では、撮影部３が画像（医用画像）を撮影する度に、作業情報が対応する画像付帯情報に付与される。すなわち、撮影した画像に対する検査中の作業情報は、画像が収集される度に画像付帯情報に自動的にセットされる。
【００４４】
図４に示すように、制御部５ａは、まず、検査開始時にカレントで保持するデータ要素全てを初期化する（ステップＳ１１）。検査開始後、ログ情報管理装置１ｂで更新されたデータ要素が一つずつ通信部５ｆを介して制御部５ａに通知される。
【００４５】
制御部５ａは、ログ情報管理装置１ｂからデータを入手したか否かを判断し（ステップＳ１２）、データを入手したと判断した場合には（ステップＳ１２のＹＥＳ）、カレントで保持するデータ要素を更新し（ステップＳ１３）、データを入手していないと判断した場合には（ステップＳ１２のＮＯ）、処理をステップＳ１４に進める。
【００４６】
画像の収集があるか否か、すなわちデータ要素「画像番号」が更新されているか否かを判断する（ステップＳ１４）。画像の収集があると判断した場合には（ステップＳ１４のＹＥＳ）、画像収集の実施に応じて、収集した画像の画像付帯情報に、カレントで保持したデータ要素の全てをセットする（ステップＳ１５）。
【００４７】
最後に、検査が終了したか否かを判断し（ステップＳ１６）、検査が終了したと判断した場合には（ステップＳ１６のＹＥＳ）、処理を終了する。一方、検査が終了していないと判断した場合には（ステップＳ１６のＮＯ）、更新されたデータ要素が通知されるので、ステップＳ１２に処理を戻し、再びデータ入手処理を行う。
【００４８】
以上説明したように、本発明の第２の実施の形態によれば、第１の実施の形態と同様の効果を得ることができる。特に、撮影部３が医用画像を撮影する度に、撮影した医用画像に対応する作業情報をログファイルＦ１から取得し、取得した作業情報を画像付帯情報として保管部５ｃに記録することから、撮影部３が画像を撮影する度に、作業情報が画像付帯情報に付与される。このように、撮影部３が画像を撮影する度に、画像付帯情報に作業情報を付与することは、画像収集毎に作業情報が画像付帯情報に含まれるため、画像収集直後にＰＡＣＳ等の画像サーバに画像データを自動転送する場合に有効である。
【００４９】
（他の実施の形態）
なお、本発明は、前述の実施の形態に限るものではなく、その要旨を逸脱しない範囲において種々変更可能である。
【００５０】
例えば、前述の実施の形態においては、履歴情報としてファイル形式のログファイルＦ１を用いているが、これに限るものではなく、その形式は限定されない。
【００５１】
また、前述の実施の形態においては、ソフトウェアであるプログラムに基づいて制御部５ａにより各種の処理を実行しているが、これに限るものではなく、例えば、ソフトウェア及びハードウェアのどちらか一方又は両方により各種の処理を実行するようにしてもよい。
【図面の簡単な説明】
【００５２】
【図１】本発明の第１の実施の形態に係る医用画像撮影システムの概略構成を示す模式図である。
【図２】図１に示す医用画像撮影システムが備えるログ情報管理装置が有するログファイルを説明するための説明図である。
【図３】図１に示す医用画像撮影システムが備える医用画像撮影装置が行う作業情報付与処理の流れを示すフローチャートである。
【図４】本発明の第２の実施の形態に係る医用画像撮影システムが備える医用画像撮影装置が行う作業情報付与処理の流れを示すフローチャートである。
【符号の説明】
【００５３】
１          医用画像撮影システム
１ａ        医用画像撮影装置
１ｂ        履歴情報管理装置（ログ情報管理装置）
３          撮影部
５ｃ        保管部
Ｆ１        履歴情報（ログファイル）
Ｔ          被検体
【図１】
0005172244.tif 000002
【図２】
0005172244.tif 000003
【図３】
0005172244.tif 000004
【図４】
0005172244.tif 000005